(57)【要約】【課題】編集加工過程と完成コンテンツとを提供し、ユーザーが編集可能に使用許諾するシステムの提供。【解決手段】ユーザー端末からアクセスされるサーバーシステムに、画像などのコンテンツを記憶するコンテンツ記憶手段と、コンテンツを販売等するための処理を行うＷＥＢサーバーと、許可されたユーザーに完成画像データを編集可能な状態でダウンロード可能にする許可手段とを備える。コンテンツ記憶手段に記憶されるコンテンツは、複数のレイヤーから構成される完成画像データと、付帯情報データとを含み構成される。複数のレイヤーは、ユーザーのコンピュータ装置等において操作可能にされており、付帯情報には、複数のレイヤーを用いて完成画像データを構成するためのデータが含まれており、ユーザーの編集加工により使用許諾が成立する。【選択図】  図１
2004185571.tif 000002
【特許請求の範囲】
【請求項１】
入力手段、制御手段、表示手段、出力手段、記憶手段等を備えるコンピュータ装置等から、インターネットに代表される通信手段を介してアクセスが行われるシステムであって、
前記のサーバーシステムには、
画像などのコンテンツを記憶するコンテンツ記憶手段と、
コンテンツを販売等するために、コンテンツ記憶手段に記憶されたコンテンツの検索、抽出、選択、販売等の処理を行うＷＥＢサーバーと、
許可されたユーザーに完成画像データを編集可能な状態でダウンロード可能にする許可手段とが備えられ、
前記のコンテンツ記憶手段に記憶されるコンテンツは、複数のレイヤーから構成される完成画像データと、付帯情報データとを含み構成され、
複数のレイヤーは、前記のコンピュータ装置等において操作可能にされており、前記の付帯情報には、複数のレイヤーを用いて完成画像データを構成するためのデータが含まれており、
所定のユーザーの編集加工操作により使用許諾が成立するようにされていることを特徴とする、コンテンツ使用許可販売システム。
【請求項２】
請求項１に記載の発明において、
前記の複数のレイヤーには、著作権情報を含むレイヤーが含まれており、
ユーザー独自の操作処理により、著作権許諾がされることを特徴とする、コンテンツ使用許可販売システム。
【請求項３】
請求項１または２に記載の発明において、
ユーザー独自の操作処理は、複数のレイヤーの内のいずれかの変更処理であることを特徴とする、コンテンツ使用許可販売システム。
【請求項４】
請求項１または２に記載の発明において
ユーザー独自の操作処理は、複数のレイヤーのうちのいずれかの追加処理であることを特徴とする、コンテンツ使用許可販売システム。
【請求項５】
入力手段、制御手段、表示手段、出力手段、記憶手段等を備えるコンピュータ装置等から、インターネットに代表される通信手段を介してアクセスが行われるシステムであって、
前記のサーバーシステムには、
動画像などのコンテンツを記憶するコンテンツ記憶手段と、
コンテンツを販売等するために、コンテンツ記憶手段に記憶されたコンテンツの検索、抽出、選択、販売等の処理を行うＷＥＢサーバーと、
許可されたユーザーに完成動画像データを編集可能な状態でダウンロード可能にする許可手段とが備えられ、
前記のコンテンツ記憶手段に記憶されるコンテンツは、一または複数の時系列データから構成される完成動画像データと、付帯情報データとを含み構成され、
複数の時系列データは、前記のコンピュータ装置等において操作可能にされており、
前記の付帯情報には、一または複数の時系列データを用いて完成動画像データを構成するためのデータ、またはいずれかの時系列データの構成要素データを元に時系列データを構成するためのデータが含まれており、
所定のユーザーの編集加工操作により使用許諾が成立するようにされていることを特徴とする、コンテンツ使用許可販売システム。
【請求項６】
請求項５に記載の発明において、
前記の一または複数の時系列データ、またはいずれかの時系列データを構成する構成要素データには、著作権情報を含むデータが含まれており、
ユーザー独自の操作処理により、著作権許諾がされることを特徴とする、コンテンツ使用許可販売システム。
【請求項７】
請求項５または６に記載の発明において、
ユーザー独自の操作処理は、複数の時系列データまたはその構成要素データのうちのいずれかの変更処理であることを特徴とする、コンテンツ使用許可販売システム。
【請求項８】
請求項５または６に記載の発明において
ユーザー独自の操作処理は、複数の時系列データまたはその構成要素データのうちのいずれかの追加処理であることを特徴とする、コンテンツ使用許可販売システム。
【発明の詳細な説明】
【０００１】
【発明の属する技術分野】
本発明は、画像や動画像などをダウンロード等により配布、販売する際に、完成されたコンテンツだけではなくその編集データや設定データ、説明やコメントなどを含むデータを含めて提供し、これをユーザーが自由に編集・加工等可能であるとともに、ユーザーが編集・加工したコンテンツの著作権使用許諾をすることのできるコンテンツ使用許可販売システムに関する。
【０００２】
【従来の技術】
従来、インターネットによる画像や音楽、動画像などのデータのダウンロード等による配信、販売が行われている。
これらのコンテンツは、完成した画像等も複数のレイヤーを重ねてアーティスト等による様々な編集、加工、効果の付与が行われ完成されたものである。
動画像や音楽などの時系列データにおいても、時間軸に沿って様々な動画像や音声などのデータや、音楽であれば様々なパートの楽器の音声などを重ね合わせ、編集、加工、効果の付与などが行われ完成されている。
【０００３】
【発明が解決しようとする課題】
ところで、このように販売されるコンテンツは通常、アーティストやクリエイターなどが創作し完成させたものであり、ユーザーは完成されたコンテンツを鑑賞したりして楽しむものであるが、アーティストやクリエイターになることを望んで勉強しているユーザーや、編集・加工ソフトウェアの技術の習得をしたいユーザーなどは、その創作、編集、加工の過程を知ることができたり、それらについてのコメントやアドバイス等が得られれば便利である。
【０００４】
しかしながら、一方の創作をしたアーティスト等にとっては、一般的にはこうした創作、編集、加工の過程は公開したくないことが多い。
さらに、完成した作品は創作者の著作物であるために、許諾なくして加工、編集がされないように著作権の保護をすることが一般的である。加工や編集を許可するためには、著作権の使用許諾をしなければならないが、一般の個別のユーザーごとに契約をすることは困難である。
【０００５】
しかし、正当な課金処理がなされれば、こうした加工や編集を許可したり、著作権の使用の許諾、たとえばユーザーが編集・加工したコンテンツの再配布などを許諾してもいいというアーティストがいるならば、こうした問題は解決するものであり、そのためのシステム構築が求められる。
所定の使用許諾条件に基づき許諾が成立したということが管理できるならば、アーティストやクリエイターになることを望んで勉強しているユーザーや、編集・加工ソフトウェアの技術の習得をしたいユーザーによる購入が期待でき、また様々な編集・加工作品が生まれることにより、ユーザーはアーティストの作品を素材にした一種の共同創作のような編集作業を体験することができ、またアーティストにとっても作品の普及や話題につなげることができる。
【０００６】
そこで本発明においては、上記の様々な課題を解決し、完成されたコンテンツを鑑賞したりして楽しむだけではなく、アーティストやクリエイターになることを望んで勉強しているユーザーや、編集・加工ソフトウェアの技術の習得をしたいユーザーなどが、その創作、編集、加工の過程を知ることができたり、それらについてのコメントやアドバイス等が得られるシステムを提供することを目的とする。
さらにそのために、所定の使用許諾条件に基づき許諾が成立したというデータを管理して、ユーザーによる編集・加工が可能であるとともに、その著作権処理や課金処理を簡易かつ明確に行うことができるシステムを提供することを目的とする。
【０００７】
【課題を解決するための手段】
上記課題を解決するため、請求項１に記載の発明においては、
入力手段、制御手段、表示手段、出力手段、記憶手段等を備えるコンピュータ装置等から、インターネットに代表される通信手段を介してアクセスが行われるシステムであって、
前記のサーバーシステムには、
画像などのコンテンツを記憶するコンテンツ記憶手段と、
コンテンツを販売等するために、コンテンツ記憶手段に記憶されたコンテンツの検索、抽出、選択、販売等の処理を行うＷＥＢサーバーと、
許可されたユーザーに完成画像データを編集可能な状態でダウンロード可能にする許可手段とが備えられ、
前記のコンテンツ記憶手段に記憶されるコンテンツは、複数のレイヤーから構成される完成画像データと、付帯情報データとを含み構成され、
複数のレイヤーは、前記のコンピュータ装置等において操作可能にされており、前記の付帯情報には、複数のレイヤーを用いて完成画像データを構成するためのデータが含まれており、
所定のユーザーの編集加工操作により使用許諾が成立するようにされている、コンテンツ使用許可販売システムであることを特徴としている。
【０００８】
また、上記課題を解決するため、請求項２に記載の発明においては、
請求項１に記載の発明において、
前記の複数のレイヤーには、著作権情報を含むレイヤーが含まれており、
ユーザー独自の操作処理により、著作権許諾がされるコンテンツ使用許可販売システムであることを特徴としている。
【０００９】
また、上記課題を解決するため、請求項３に記載の発明においては、
請求項１または２に記載の発明において、
ユーザー独自の操作処理は、複数のレイヤーの内のいずれかの変更処理である、コンテンツ使用許可販売システムであることを特徴としている。
【００１０】
また、上記課題を解決するため、請求項４に記載の発明においては、
請求項１または２に記載の発明において
ユーザー独自の操作処理は、複数のレイヤーのうちのいずれかの追加処理である、コンテンツ使用許可販売システムであることを特徴としている。
【００１１】
また、上記課題を解決するため、請求項５に記載の発明においては、
入力手段、制御手段、表示手段、出力手段、記憶手段等を備えるコンピュータ装置等から、インターネットに代表される通信手段を介してアクセスが行われるシステムであって、
前記のサーバーシステムには、
動画像などのコンテンツを記憶するコンテンツ記憶手段と、
コンテンツを販売等するために、コンテンツ記憶手段に記憶されたコンテンツの検索、抽出、選択、販売等の処理を行うＷＥＢサーバーと、
許可されたユーザーに完成動画像データを編集可能な状態でダウンロード可能にする許可手段とが備えられ、
前記のコンテンツ記憶手段に記憶されるコンテンツは、一または複数の時系列データから構成される完成動画像データと、付帯情報データとを含み構成され、
複数の時系列データは、前記のコンピュータ装置等において操作可能にされており、
前記の付帯情報には、一または複数の時系列データを用いて完成動画像データを構成するためのデータ、またはいずれかの時系列データの構成要素データを元に時系列データを構成するためのデータが含まれており、
所定のユーザーの編集加工操作により使用許諾が成立するようにされている、コンテンツ使用許可販売システムであることを特徴としている。
【００１２】
また、上記課題を解決するため、請求項６に記載の発明においては、
請求項５に記載の発明において、
前記の一または複数の時系列データ、またはいずれかの時系列データを構成する構成要素データには、著作権情報を含むデータが含まれており、
ユーザー独自の操作処理により、著作権許諾がされるコンテンツ使用許可販売システムであることを特徴としている。
【００１３】
また、上記課題を解決するため、請求項７に記載の発明においては、
請求項５または６に記載の発明において、
ユーザー独自の操作処理は、複数の時系列データまたはその構成要素データのうちのいずれかの変更処理である、コンテンツ使用許可販売システムであることを特徴としている。
【００１４】
また、上記課題を解決するため、請求項８に記載の発明においては、
請求項５または６に記載の発明において
ユーザー独自の操作処理は、複数の時系列データまたはその構成要素データのうちのいずれかの追加処理である、コンテンツ使用許可販売システムであることを特徴としている。
【００１５】
【発明の実施の形態】
以下、本発明の実施の形態について図面を参照して説明する。
（実施の形態）
本発明の第一の実施の形態は、入力手段、制御手段、表示手段、出力手段、記憶手段等を備えるコンピュータ装置等から、インターネットに代表される通信手段を介してアクセスが行われるシステムである。
図１は、本発明のシステムの基本的な構成の一例を示すシステム構成図である。
本発明のシステムとしては、通常、パーソナルコンピュータやワークステーション、サーバー装置などのコンピュータ端末が用いられる。
コンピュータ端末は、制御手段、記憶手段、入力手段、出力手段、表示手段などを備える。またインターネットに代表されるコンピュータネットワークに接続詞、データの送受信を行う機能を備え、ブラウザや電子メールソフトウェア、ワードプロセッサなどのアプリケーションプログラムや、オペレーティングシステム（ＯＳ）を備えることが通常の形態である。
【００１６】
ここで通信手段には、インターネットをはじめとして、専用線により接続されたネットワーク形態や、企業内ＬＡＮ、企業間ＬＡＮ、ＷＡＮなどの形態を広く含む。またここで用いられる通信回線の形態には、有線通信、無線通信の形態を広く含み、衛星通信や、Ｂｌｕｅｔｏｏｔｈなどを用いた形態を含む。
【００１７】
図１に示されるように、本発明のシステムは、ユーザーのコンピュータ装置等の端末からアクセスされるサーバーシステムを備えている。サーバーシステムは、通常は、アプリケーションサーバー、データベースサーバー、認証サーバー、ＷＥＢサーバー、その他必要に応じメールサーバー、その他の各種装置により構成される。
これらの各サーバーは、物理的に同一の装置に設けられる形態や、物理的に複数の装置からなる形態、あるいはネットワークを介して接続される物理的に複数の装置からなる形態などを含み、機能的に同様の機能が実現されるならば、様々な形態を含む。
【００１８】
次に、サーバーシステムについて説明する。
サーバーシステムは、画像などのコンテンツを記憶するコンテンツ記憶手段を備えている。
コンテンツ記憶手段には、画像データなどの、販売等されてダウンロードされるコンテンツが記憶される。またコンテンツのサンプルやサムネイルなどのデータ、コンテンツの内容などを説明するデータ、その他のデータを記憶することができる。
【００１９】
次に、サーバーシステムは、コンテンツを販売等するために、コンテンツ記憶手段に記憶されたコンテンツの検索、抽出、選択、販売等の処理を行うＷＥＢサーバーを備えている。ＷＥＢサーバーは、ユーザーの端末からアクセスするためのコンテンツデータ及びプログラムを記憶する。
コンテンツデータには、ＨＴＭＬファイル、ＸＭＬファイルなどのＷＥＢ上に表示されるデータファイルや、Ｃ−ＨＴＭＬファイルなどのＷＥＢサイトにアクセス可能な携帯電話等に表示されるデータファイルなどが含まれる。
また、これらのファイルに挿入されるなどして表示又は出力される、文字データファイル、音声データファイル、画像データファイル、動画像データファイル、アニメーションデータファイル，その他の様々なコンテンツデータを記憶することができる。
プログラムは、ユーザー端末からの検索要求に応答して、コンテンツ記憶手段等に記憶されたデータを検索・抽出するプログラムや、抽出されたコンテンツに関するデータをＷＥＢ上に表示可能なＨＴＭＬファイル等として生成するプログラム、コンテンツのダウンロード要求に応答してダウンロード処理を制御するプログラム、課金処理をするプログラム、ユーザー端末から送信されたユーザー情報などのデータをデータベース等に記憶させるプログラム、その他のプログラムを含むことができる。
【００２０】
次に、望ましい形態によれば、サーバーシステムは、下記のシステムを備えることができる。
ユーザーに課金処理をしたりするために、ユーザーを識別するユーザー情報記憶手段を備え、ユーザー端末からユーザー情報を入力・送信して記憶することにより、ユーザー認証や課金処理に用いることができる。
また、ユーザー情報に関連付けられて、ユーザーによるコンテンツのダウンロード等に応じて課金処理を行う課金処理手段が設けられることが好ましい。課金処理は、クレジットカード決済処理、振込等による課金処理、プリペイド方式の課金処理、その他の処理を採用することができ、少なくともユーザー情報に関連付けられて、課金金額、課金日時などを記憶する機能が必要である。
【００２１】
次に、コンテンツ記憶手段に記憶されるコンテンツについて説明する。
前記のコンテンツ記憶手段に記憶されるコンテンツは、複数のレイヤーから構成される完成画像データと、付帯情報データとを含み構成される。
図２は、画像コンテンツのデータ構造の模式図である。
画像コンテンツのデータには、複数のレイヤーが含まれており、レイヤーには背景や、背景に重ねられて写真や図形や文字や模様などを表現する画像データなどが含まれる。
複数のレイヤーを重ねて完成画像データが構成される。
【００２２】
複数のレイヤーを重ねて完成画像データを構成したり、編集したりするためには画像編集・加工プログラムを用いる。図３から図５は、画像編集・加工プログラムの操作画面の一例を示している。
図３の画面例では、メニューバーにおいて、各レイヤーを編集・加工するために使用する機能を、プルダウンメニュー等により選択する。またツールパレットにおいて使う基本的な機能をボタンから選択する。ウィンドウは、編集する画像を表示する。
【００２３】
各レイヤーは、通常、レイヤーパレット最下段にある背景と、これに重ねられる各レイヤーとから構成され、背景は背景色の色をした台紙に画像が描かれているような形態であり、これに重ねられるレイヤーは透明なシートに画像が描かれているような形態である。すなわち背景色を持つレイヤーと、背景は透明で背景色を持たないレイヤーとから完成画像が構成される。あるいは背景レイヤーとこれに重ねられる他のレイヤーとの区別がない形態であってもよい。
【００２４】
背景や各レイヤーには、スキャナで取り込んだ画像やデジタルカメラで撮影した画像、ＰｈｏｔｏＣＤなどから取り込んだ画像などを利用することもでき、その解像度を変更して利用することもできる。また画像全体を移動したり、各レイヤーの重なり順序や、レイヤー内において配置されるオブジェクトの重なり順序などを入れ替えることができる。また背景や、オブジェクト等の不透明度を変更することができる。
また図４に一例を示すように、背景やオブジェクト、文字等のカラーを、シアン、マゼンタ、イエローの三色を調整し設定することができる。
図５は、画像編集の機能を示すメニューの一例である。
【００２５】
本発明においては、このようにして編集・加工された複数のレイヤーからなる完成画像データに、付帯情報データを加えて完成したコンテンツが、コンテンツ記憶手段に記憶される。
付帯情報には、複数のレイヤーを用いて完成画像データを構成するためのデータが含まれており、具体的には、編集・加工の各機能により設定・操作をした設定データや操作の履歴データなどである。
たとえば、「シアン：５０％、マゼンタ：４４％、イエロー：４４％」のような設定データ、透明度や画像の解像度、各種エフェクトの種類とその加工度合いの設定をしたデータなどである。
また、操作の履歴は、完成画像データを完成させるまでのヒストリーであり、本発明においてダウンロード可能にされるコンテンツは、アーティスト等が完成させたコンテンツであって、これをダウンロードしたユーザーが、コンテンツ完成までの各操作一つ一つを知ることができるデータである。
また、各操作や、各設定においてのコメントや、コンテンツ全体を完成させるためのコメント、画像の素材に関するコメントなどを、各レイヤーやレイヤー内のオブジェクト等に関連付けて記憶させ、ユーザーがこれをクリック等した際にコメントを閲覧できるように記憶させることができる。
【００２６】
ここで、本発明において特徴的な第一の点は、コンテンツ記憶手段に記憶され、ユーザーによりダウンロード等が可能にされているコンテンツの完成画像に含まれる複数のレイヤーは、前記のコンピュータ装置等において操作可能にされている点である。
さらに、前記の各種設定データやヒストリー、コメント等は、ユーザーがコンテンツの設定などを操作しても消去されないように記憶させておくことにより、元の完成画像を操作により変更してしまっても、元の完成画像（たとえばアーティストの作品）に戻したり、その設定や操作を勉強したりすることが可能にされている。
【００２７】
ユーザー独自の操作処理は、代表的な形態では、複数のレイヤーの内のいずれかの変更処理であり、たとえばカラーパレットを用いた操作により色調を変更したり、あるいは画像に各種エフェクトをかけたり、コントラストの変更をしたり、文字を変更したりするような操作である。
また、ユーザー独自の操作処理の別の形態は、複数のレイヤーのうちのいずれかの追加処理である。たとえば背景画像の追加や変更、文字レイヤーの追加などをすることもできる。
図６は、ダウンロードされるコンテンツのレイヤー１からレイヤー５までを示しており、図７はこれらにより構成された完成画像データを示している。また図示しないが、付帯情報として各種の設定データやコメント等のデータが記憶されている。レイヤー５は後述する著作権情報を含むレイヤーである。
これをユーザー独自の操作処理により、たとえばレイヤー１、レイヤー３、レイヤー４の文字を変更し、レイヤー５の著作権表示を消去した例が図８に示されており、その完成画像が図９である。図示しないが、付帯情報として元の各種の設定データやコメント等のデータが記憶されているとともに、ユーザー独自の操作処理によるヒストリーやコメントなどを追加することもできる。
ユーザーの操作による設定データの変更は、元の完成画像の設定データを記憶させたままでユーザー独自の設定データとして追加され、またヒストリーやコメントもユーザー独自のデータとして元の完成画像のデータとは別個に記憶されることが望ましい。
【００２８】
次に、本発明において特徴的な第二の点は、前記の複数のレイヤーには、著作権情報を含むレイヤーが含まれていることであり、具体的には文字やロゴ、その他のオブジェクトから構成されレイヤーとして保存されている著作権表示や、あるいはレイヤーまたは完成画像データに埋め込まれている著作権情報データなどである。
【００２９】
次に、本発明のサーバーシステムは、許可されたユーザーに完成画像データを編集可能な状態でダウンロード可能にする許可手段を備えている。
許可手段は、ユーザー認証によりユーザー情報記憶手段に記憶されるユーザーの登録情報などを参照してユーザーを識別し、所定の許可条件にユーザーが同意することにより、編集可能な完成画像データをダウンロードして利用可能にするものである。
所定の許可条件は、前記のようなユーザー独自の操作処理により、著作権許諾がされるものであり、ダウンロードされた完成画像データにユーザーが操作による変更を加えることにより、許可条件が成立し、許可条件の成立によって著作権の使用許諾が成立する。
著作権許諾の成立の証となるユーザー独自の操作処理は、好ましい形態の一例によれば、前記の著作権表示の含まれるレイヤーの変更、消去などの操作である。
また、著作権許諾の成立の証となるユーザー独自の操作処理の別の一例は、ユーザーの操作による設定データの変更、追加により、元の完成画像の設定データを記憶させたままでユーザー独自の設定データとして追加され、またヒストリーやコメントもユーザー独自のデータとして元の完成画像のデータとは別個に記憶する処理である。
また、著作権許諾の成立の証となるユーザー独自の操作処理の別の一例は、ダウンロードした完成画像データの著作権表示を、ユーザーの著作権表示に変更したり、あるいは追加したりする形態である。あるいは、文字レイヤーとして記憶されている元の著作権表示を変更し、さらに通常のレイヤーに変更することにより、テキストとしての属性がなくなり、画像として記憶される形態である。
【００３０】
これらの操作処理をしたことにより、著作権の許諾がされたことを証明するデータとして、コンテンツに含まれる付帯情報データに、操作処理の履歴による著作権許諾を示すデータが追加して記憶されることが好ましい。
さらに別の一例としては、ＷＥＢサーバーにアクセスして、操作処理をした後に当該コンテンツに対するユーザー登録処理をすることにより、操作処理の履歴による著作権許諾を示すデータがユーザー情報記憶手段に記憶され、著作権許諾が成立するようにすることもできる。
【００３１】
（第二の実施形態）
次に、本発明の第二の実施形態について説明する。
入力手段、制御手段、表示手段、出力手段、記憶手段等を備えるコンピュータ装置等から、インターネットに代表される通信手段を介してアクセスが行われるシステムであって、第一の形態と共通するが、第二の実施形態においては動画像などの、時系列データを含み構成されるコンテンツに関するシステムが実現される。
【００３２】
前記のサーバーシステムには、動画像などのコンテンツを記憶するコンテンツ記憶手段が備えられている。サーバーシステムの構成は第一の実施形態と共通し、コンテンツ記憶手段には、画像データなどの、販売等されてダウンロードされるコンテンツが記憶される。またコンテンツのサンプルやサムネイルなどのデータ、コンテンツの内容などを説明するデータ、その他のデータを記憶することができる。
【００３３】
また、コンテンツを販売等するために、コンテンツ記憶手段に記憶されたコンテンツの検索、抽出、選択、販売等の処理を行うＷＥＢサーバーが備えられており、第一の実施形態と共通する。
【００３４】
前記のコンテンツ記憶手段に記憶されるコンテンツは、一または複数の時系列データから構成される完成動画像データと、付帯情報データとを含み構成されている。
時系列データには、動画像やアニメーションデータのほか、スライドショーデータ、プレゼンテーションデータ、音声データなどを含むことができる。
図１０は、動画像コンテンツのデータ構造の模式図である。
動画像コンテンツのデータには、複数の時系列データが含まれており、時系列データには、時間軸に沿って、時間軸データに関連付けられて時間軸上の範囲に重ねられて完成動画像データを表現する動画像データや音声データなどが含まれる。複数の時系列データを重ねて完成動画像データが構成される。
なお、完成動画像データには、視覚で知覚できる時系列データを含む動画像データ以外にも、視覚で知覚できる時系列データを含まない音声データなどを、ここでは広義の意味で含むことができるものとする。
複数のレイヤーを重ねて完成動画像データを構成したり、編集したりするためには動画像編集・加工プログラムを用いる。図１１は編集・加工画面の一例を示す。
【００３５】
複数の時系列データは、前記のコンピュータ装置等において操作可能にされている。
前記の付帯情報には、一または複数の時系列データを用いて完成動画像データを構成するためのデータ、またはいずれかの時系列データの構成要素データを元に時系列データを構成するためのデータが含まれる。
さらに、前記の各種設定データやヒストリー、コメント等は、ユーザーがコンテンツの設定などを操作しても消去されないように記憶させておくことにより、元の完成動画像を操作により変更してしまっても、元の完成動画像（たとえばアーティストの作品）に戻したり、その設定や操作を勉強したりすることが可能にされている。
【００３６】
ユーザー独自の操作処理は、代表的な形態では、複数の時系列データの内のいずれかの変更処理であり、たとえば動画像データの色調を変更したり、あるいは画像に各種エフェクトをかけたり、時系列データのタイムライン上における範囲を移動・変更したり、文字を変更したりするような操作である。
また、ユーザー独自の操作処理の別の形態は、複数の時系列データのうちのいずれかの追加処理である。たとえば音声データの追加や変更などをすることもできる。
付帯情報として元の各種の設定データやコメント等のデータが記憶されているとともに、ユーザー独自の操作処理によるヒストリーやコメントなどを追加することもできる。
ユーザーの操作による設定データの変更は、元の完成動画像の設定データを記憶させたままでユーザー独自の設定データとして追加され、またヒストリーやコメントもユーザー独自のデータとして元の完成動画像のデータとは別個に記憶されることが望ましい。
【００３７】
次に、複数の時系列データのいずれかには、著作権情報が含まれており、具体的には文字やロゴ、その他のオブジェクトから構成され時系列データとして保存されている著作権表示や、あるいは完成動画像データに埋め込まれている著作権情報データなどである。
さらに前記の通り、本発明のサーバーシステムは、許可されたユーザーに完成画像データを編集可能な状態でダウンロード可能にする許可手段を備えている。許可手段は、ユーザー認証によりユーザー情報記憶手段に記憶されるユーザーの登録情報などを参照してユーザーを識別し、所定の許可条件にユーザーが同意することにより、編集可能な完成動画像データをダウンロードして利用可能にするものである。
所定の許可条件は、前記のようなユーザー独自の操作処理により、著作権許諾がされるものであり、ダウンロードされた完成動画像データにユーザーが操作による変更を加えることにより、許可条件が成立し、許可条件の成立によって著作権の使用許諾が成立する。
著作権許諾の成立の証となるユーザー独自の操作処理は、好ましい形態の一例によれば、前記の著作権表示の含まれる時系列データの変更、消去などの操作である。
また、著作権許諾の成立の証となるユーザー独自の操作処理の別の一例は、ユーザーの操作による設定データの変更、追加により、元の完成動画像の設定データを記憶させたままでユーザー独自の設定データとして追加され、またヒストリーやコメントもユーザー独自のデータとして元の完成動画像のデータとは別個に記憶する処理である。
また、著作権許諾の成立の証となるユーザー独自の操作処理の別の一例は、ダウンロードした完成動画像データの著作権表示を、ユーザーの著作権表示に変更したり、あるいは追加したりする形態である。あるいは、音声データとして記憶されている元の著作権表示を変更することにより記憶される形態である。
【００３８】
これらの操作処理をしたことにより、著作権の許諾がされたことを証明するデータとして、コンテンツに含まれる付帯情報データに、操作処理の履歴による著作権許諾を示すデータが追加して記憶されることが好ましい。
さらに別の一例としては、ＷＥＢサーバーにアクセスして、操作処理をした後に当該コンテンツに対するユーザー登録処理をすることにより、操作処理の履歴による著作権許諾を示すデータがユーザー情報記憶手段に記憶され、著作権許諾が成立するようにすることもできる。
【００３９】
以下、本発明の基本的な処理の流れについて説明する。
図１２及び図１３は、本発明の基本的な処理の流れの一例を示すフローチャートである。なおここに示す処理の流れは一例であって、これに限定されるものではない。
初めに、ユーザー端末からインターネットに接続し（Ｓ１００）、サーバーシステムにアクセスする（Ｓ１０１）。ＵＲＬの指定などによりＷＥＢサーバーにアクセスし、コンテンツの検索・ダウンロード等のＷＥＢサイトを表示させ、コンテンツ検索・ダウンロードメニュー等を表示させる（Ｓ１０２）。
ユーザーはユーザー端末において操作等により、コンテンツの検索等を行う（Ｓ１０３）。コンテンツのサムネイル等や、完成画像に含まれるレイヤーのサムネイル、説明等を閲覧可能にずることができ、ユーザーはコンテンツの選択を行う（Ｓ１０４）。
【００４０】
ダウンロードすることを選択する場合には、ダウンロードメニューを選択する（Ｓ１０５）。ユーザー登録済であれば（Ｓ１０６）、ユーザー認証処理をサーバーにおいて行い（Ｓ１０７）、未登録であれば所定のユーザー情報を入力・送信してユーザー情報記憶手段に記憶させ、ユーザー登録処理を行う（Ｓ１０８）。
次に、前述したコンテンツ著作権許諾条件を表示し（Ｓ１０９）、ダウンロードには同意することが求められ（Ｓ１１０）、同意をすると課金処理を経るなどして（Ｓ１１１）、ダウンロードを行う（Ｓ１１２）。
ダウンロードが完了すると、望ましくはダウンロード履歴をコンテンツＩＤ、ユーザーＩＤに関連付けてユーザー情報記憶手段に記憶する（Ｓ１１３）。これによりどのコンテンツをどのユーザーがダウンロードし、著作権許諾をしたかを管理することができる。ダウンロードが完了すると、ユーザー端末において通信を終了させるが（Ｓ１１４）、他のコンテンツを続いて閲覧・検索したりすることもできる。
【００４１】
次に、ユーザー端末においては、ダウンロードした完成画像などのコンテンツを閲覧したり、設定データやコメントなどの付帯情報データを閲覧したりすることができる。
また編集・加工プログラムを起動して編集・加工をすることもできる。
著作権許諾の完了のためには、ユーザー端末において編集・加工プログラムを起動し（Ｓ１１５）、編集・加工処理を行う（Ｓ１１６）。著作権の使用許諾の成立の望ましい形態の一例としては、前述したようにあらかじめ記憶されている著作権情報を編集・消去等することにより（Ｓ１１７）、使用許諾が成立し、著作権の許諾成立情報は付帯情報として追加して記憶される（Ｓ１１８）。
また、その後にＷＥＢサーバーにアクセスして、コンテンツごとのユーザー登録をするようにしてもよい。
【００４２】
【発明の効果】
以上詳細に説明したように、本発明によれば、完成されたコンテンツを鑑賞したりして楽しむだけではなく、アーティストやクリエイターになることを望んで勉強しているユーザーや、編集・加工ソフトウェアの技術の習得をしたいユーザーなどが、その創作、編集、加工の過程を知ることができたり、それらについてのコメントやアドバイス等が得られるシステムを提供することができる。
さらにそのために、所定の使用許諾条件に基づき許諾が成立したというデータを管理して、ユーザーによる編集・加工が可能であるとともに、その著作権処理や課金処理を簡易かつ明確に行うことができるシステムを提供することができる。
これにより、ソフトウェアの技術の習得をしたいユーザーによる購入が期待でき、また様々な編集・加工作品が生まれることにより、ユーザーはアーティストの作品を素材にした一種の共同創作のような編集作業を体験することができ、またアーティストにとっても作品の普及や話題につなげることが可能になる。
【図面の簡単な説明】
【図１】本発明のシステムの基本的な構成の一例を示すシステム構成図である。
【図２】画像コンテンツのデータ構造の模式図である
【図３】画像編集・加工プログラムの操作画面の一例を示す図である。
【図４】画像編集・加工プログラムの操作画面の一例を示す図である。
【図５】画像編集・加工プログラムの操作画面の一例を示す図である。
【図６】ダウンロードされるコンテンツのレイヤー１からレイヤー５までを示す図である。
【図７】複数のレイヤーにより構成された完成画像データを示す図である。
【図８】ユーザー独自の操作処理により、レイヤーの著作権表示を消去した例を示す図である。
【図９】ユーザー独自の操作処理による完成画像の一例を示す図である。
【図１０】動画像コンテンツのデータ構造の模式図である。
【図１１】動画像コンテンツの編集・加工画面の一例を示す図である。
【図１２】本発明の基本的な処理の流れの一例を示すフローチャートである。
【図１３】本発明の基本的な処理の流れの一例を示すフローチャートである。
【図１】
2004185571.tif 000003
【図２】
2004185571.tif 000004
【図３】
2004185571.tif 000005
【図４】
2004185571.tif 000006
【図５】
2004185571.tif 000007
【図６】
2004185571.tif 000008
【図７】
2004185571.tif 000009
【図８】
2004185571.tif 000010
【図９】
2004185571.tif 000011
【図１０】
2004185571.tif 000012
【図１１】
2004185571.tif 000013
【図１２】
2004185571.tif 000014
【図１３】
2004185571.tif 000015